(57)【特許請求の範囲】
【請求項１】
無線通信のための方法であって、
サービス提供基地局（ＢＳ）によってサービス提供されている間、近隣のＢＳを探索することと、
この探索の結果に基づいて、ハンドオーバのためのターゲットＢＳを選択することと、
前記ターゲットＢＳとの初期レンジングを実行することと、
前記サービス提供ＢＳにハンドオーバが通知される前に、前記ターゲットＢＳへのハンドオーバを要求することと
を備える方法。
【請求項２】
前記ターゲットＢＳから確認を受信することと、
前記サービス提供ＢＳとの接続をリリースすることと
をさらに備える請求項１に記載の方法。
【請求項３】
前記近隣の基地局を探索することは、関連付けを探索することを備える請求項１に記載の方法。
【請求項４】
前記初期レンジングを実行した後、前記ターゲットＢＳへのハンドオーバを実行する前に、前記ターゲットＢＳからハンドオーバ要求を受信することをさらに備える請求項１に記載の方法。
【請求項５】
前記ターゲットＢＳへのハンドオーバを実行することは、前記ターゲットＢＳへハンドオーバ要求を送信することを備える請求項１に記載の方法。
【請求項６】
ターゲット基地局による無線通信のための方法であって、
移動局（ＭＳ）が別の基地局によってサービス提供されている間に、前記ＭＳとの初期レンジングを実行することと、
現在のサービス提供ＢＳにハンドオーバが通知される前に、前記現在のサービス提供ＢＳからターゲットＢＳへのＭＳのハンドオーバ手順に参加することと
を備える方法。
【請求項７】
前記ハンドオーバ手順に参加することは、前記初期レンジングを実行した後に、前記ＭＳからハンドオーバ要求（MOB_MSHO-REQ）を受信することを備える請求項６に記載の方法。
【請求項８】
ターゲット基地局による無線通信のための方法であって、
移動局（ＭＳ）が別の基地局によってサービス提供されている間に、前記ＭＳとの初期レンジングを実行することと、
前記初期レンジング手順に少なくとも部分的に基づいて、前記ＭＳをハンドオーバするかどうかを決定することと、
前記ＭＳをハンドオーバすることを決定すると、前記ＭＳへハンドオーバ要求を送信することと
を備える方法。
【請求項９】
無線通信のための装置であって、
サービス提供基地局（ＢＳ）によってサービス提供されている間、近隣のＢＳを探索するためのロジックと、
この探索の結果に基づいて、ハンドオーバのためのターゲットＢＳを選択するためのロジックと、
前記ターゲットＢＳとの初期レンジングを実行するためのロジックと、
前記サービス提供ＢＳにハンドオーバが通知される前に、前記ターゲットＢＳへのハンドオーバを要求するためのロジックと
を備える装置。
【請求項１０】
前記ターゲットＢＳから確認を受信するためのロジックと、
前記サービス提供ＢＳとの接続をリリースするためのロジックと
をさらに備える請求項９に記載の装置。
【請求項１１】
前記近隣の基地局を探索するためのロジックは、関連付けを探索するためのロジックを備える請求項９に記載の装置。
【請求項１２】
前記初期レンジングを実行した後、前記ターゲットＢＳへのハンドオーバを実行する前に、前記ターゲットＢＳからハンドオーバ要求を受信するためのロジックをさらに備える請求項９に記載の装置。
【請求項１３】
前記ターゲットＢＳへのハンドオーバを実行するためのロジックは、前記ターゲットＢＳへハンドオーバ要求を送信するためのロジックを備える請求項９に記載の装置。
【請求項１４】
ターゲット基地局による無線通信のための装置であって、
移動局（ＭＳ）が別の基地局によってサービス提供されている間に、前記ＭＳとの初期レンジングを実行するためのロジックと、
現在のサービス提供ＢＳにハンドオーバが通知される前に、前記現在のサービス提供ＢＳからターゲットＢＳへのＭＳのハンドオーバ手順に参加するためのロジックと
を備える装置。
【請求項１５】
前記ハンドオーバ手順に参加するためのロジックは、前記初期レンジングを実行した後に、前記ＭＳからハンドオーバ要求（MOB_MSHO-REQ）を受信することを備える請求項１４に記載の装置。
【請求項１６】
ターゲット基地局による無線通信のための装置であって、
移動局（ＭＳ）が別の基地局によってサービス提供されている間に、前記ＭＳとの初期レンジング実行するロジックと、
前記初期レンジング手順に少なくとも部分的に基づいて、前記ＭＳをハンドオーバするかどうかを決定するロジックと、
前記ＭＳをハンドオーバすることを決定すると、前記ＭＳへハンドオーバ要求を送信するロジックと
を備える装置。
【請求項１７】
無線通信のための装置であって、
サービス提供基地局（ＢＳ）によってサービス提供されている間、近隣のＢＳを探索する手段と、
この探索の結果に基づいて、ハンドオーバのためのターゲットＢＳを選択する手段と、  前記ターゲットＢＳとの初期レンジングを実行する手段と、
前記サービス提供ＢＳにハンドオーバが通知される前に、前記ターゲットＢＳへのハンドオーバを要求する手段と
を備える装置。
【請求項１８】
前記ターゲットＢＳから確認を受信する手段と、
前記サービス提供ＢＳとの接続をリリースする手段と
をさらに備える請求項１７に記載の装置。
【請求項１９】
前記近隣の基地局を探索する手段は、関連付けを探索する手段を備える請求項１７に記載の装置。
【請求項２０】
前記初期レンジングを実行した後、前記ターゲットＢＳへのハンドオーバを実行する前に、前記ターゲットＢＳからハンドオーバ要求を受信する手段をさらに備える請求項１７に記載の装置。
【請求項２１】
前記ターゲットＢＳへのハンドオーバを実行する手段は、前記ターゲットＢＳへハンドオーバ要求を送信する手段を備える請求項１７に記載の装置。
【請求項２２】
ターゲット基地局による無線通信のための装置であって、
移動局（ＭＳ）が別の基地局によってサービス提供されている間に、前記ＭＳとの初期レンジングを実行する手段と、
現在のサービス提供ＢＳにハンドオーバが通知される前に、前記現在のサービス提供ＢＳからターゲットＢＳへのＭＳのハンドオーバ手順に参加する手段と
を備える装置。
【請求項２３】
前記ハンドオーバ手順に参加する手段は、前記初期レンジングを実行した後に、前記ＭＳからハンドオーバ要求（MOB_MSHO-REQ）を受信する手段を備える請求項２２に記載の装置。
【請求項２４】
ターゲット基地局による無線通信のための装置であって、
移動局（ＭＳ）が別の基地局によってサービス提供されている間に、前記ＭＳとの初期レンジングを実行する手段と、
前記初期レンジング手順に少なくとも部分的に基づいて、前記ＭＳをハンドオーバするかどうかを決定する手段と、
前記ＭＳをハンドオーバすることを決定すると、前記ＭＳへハンドオーバ要求を送信する手段と
を備える装置。
【請求項２５】
格納された命令群を有するコンピュータ読取可能媒体を備える、無線通信のためのコンピュータ・プログラム製品であって、
前記命令群は、１または複数のプロセッサによって実行可能であり、
サービス提供基地局（ＢＳ）によってサービス提供されている間に、近隣のＢＳを探索するための命令群と、
この探索の結果に基づいて、ハンドオーバのためのターゲットＢＳを選択するための命令群と、
前記ターゲットＢＳとの初期レンジングを実行するための命令群と、
前記サービス提供ＢＳにハンドオーバが通知される前に、前記ターゲットＢＳへのハンドオーバを要求するための命令群と
を備えるコンピュータ・プログラム製品。
【請求項２６】
前記ターゲットＢＳから確認を受信するための命令群と、
前記サービス提供ＢＳとの接続をリリースするための命令群と
をさらに備える請求項２５に記載のコンピュータ・プログラム製品。
【請求項２７】
前記近隣の基地局を探索するための命令群は、関連付けを探索するための命令群を備える請求項２５に記載のコンピュータ・プログラム製品。
【請求項２８】
前記初期レンジングを実行した後、前記ターゲットＢＳへのハンドオーバを実行する前に、前記ターゲットＢＳからハンドオーバ要求を受信するための命令群をさらに備える請求項２５に記載のコンピュータ・プログラム製品。
【請求項２９】
前記ターゲットＢＳへのハンドオーバを実行するための命令群は、前記ターゲットＢＳへハンドオーバ要求を送信するための命令群を備える請求項２５に記載のコンピュータ・プログラム製品。
【請求項３０】
格納された命令群を有するコンピュータ読取可能媒体を備える、無線通信のためのコンピュータ・プログラム製品であって、前記命令群は、１または複数のプロセッサによって実行可能であり、
移動局（ＭＳ）が別の基地局によってサービス提供されている間に、前記ＭＳとの初期レンジングを実行するための命令群と、
現在のサービス提供ＢＳにハンドオーバが通知される前に、前記現在のサービス提供ＢＳからターゲットＢＳへのＭＳのハンドオーバ手順に参加するための命令群と
を備えるコンピュータ・プログラム製品。
【請求項３１】
前記ハンドオーバ手順に参加するための命令群は、前記初期レンジングを実行した後に、前記ＭＳからハンドオーバ要求（MOB_MSHO-REQ）を受信するための命令群を備える請求項３０に記載のコンピュータ・プログラム製品。
【請求項３２】
格納された命令群を有するコンピュータ読取可能媒体を備える、ターゲット基地局による無線通信のためのコンピュータ・プログラム製品であって、前記命令群は、１または複数のプロセッサによって実行可能であり、
移動局（ＭＳ）が別の基地局によってサービス提供されている間に、前記ＭＳとの初期レンジングを実行するための命令群と、
前記初期レンジング手順に少なくとも部分的に基づいて、前記ＭＳをハンドオーバするかどうかを決定するための命令群と、
前記ＭＳをハンドオーバすることを決定すると、前記ＭＳへハンドオーバ要求を送信するための命令群と
を備えるコンピュータ・プログラム製品。
【発明の詳細な説明】
【優先権の主張】
【０００１】
本願は、本願の譲受人に譲渡され、すべての目的のために参照によって本明細書に完全に組み込まれている２００８年１２月１４日出願の“Ｒｏｂｕｓｔ  Ｈａｎｄｏｖｅｒ  ｄｕｒｉｎｇ  Ｓｃａｎｎｉｎｇ  Ｎｅｉｇｈｂｏｒ  Ｂａｓｅ  Ｓｔａｔｉｏｎｓ  ｉｎ  ＷｉＭＡＸ  Ｅｎｖｉｒｏｎｍｅｎｔｓ”と題された仮出願６１／１２２、３８９の優先権の利益を主張する。
【技術分野】
【０００２】
本開示のある実施形態は、一般に、無線通信に関し、さらに詳しくは、１つの基地局から別の基地局へ通信サービスを転送するためのロバストなハンドオーバ方法に関する。
【発明の概要】
【０００３】
ある実施形態は、無線通信のための方法を提供する。この方法は、一般に、近隣の基地局（ＢＳ）を探索することと、この探索の結果に基づいて、ハンドオーバのためのターゲットＢＳを選択することと、ターゲットＢＳとの初期レンジングを実行することと、ターゲットＢＳへハンドオーバ要求を送信することとを含む。
【０００４】
ある実施形態は、無線通信のための装置を提供する。この装置は、一般に、近隣の基地局（ＢＳ）を探索するためのロジックと、この探索の結果に基づいて、ハンドオーバのためのターゲットＢＳを選択するためのロジックと、ターゲットＢＳとの初期レンジングを実行するためのロジックと、ターゲットＢＳへハンドオーバ要求を送信するためのロジックとを含む。
【０００５】
ある実施形態は、無線通信のための装置を提供する。この装置は、一般に、近隣の基地局（ＢＳ）を探索する手段と、この探索の結果に基づいて、ハンドオーバのためのターゲットＢＳを選択する手段と、ターゲットＢＳとの初期レンジングを実行する手段と、ターゲットＢＳへハンドオーバ要求を送信する手段とを含む。
【０００６】
ある実施形態は、格納された命令群を有するコンピュータ読取可能媒体を備える、無線通信のためのコンピュータ・プログラム製品を提供する。これら命令群は、１または複数のプロセッサによって実行可能であり、一般に、サービス提供ＢＳによってサービス提供されている間に、近隣の基地局（ＢＳ）を探索するための命令群と、この探索の結果に基づいて、ハンドオーバのためのターゲットＢＳを選択するための命令群と、ターゲットＢＳとの初期レンジングを実行するための命令群と、ターゲットＢＳへのハンドオーバを実行するための命令群とを含む。
【０００７】
ある実施形態は、ターゲット基地局による無線通信のための方法を提供する。この方法は、一般に、移動局（ＭＳ）が別の基地局によってサービス提供されている間に、ＭＳとの初期レンジングを実行することと、現在のサービス提供ＢＳにハンドオーバが通知される前に、サービス提供ＢＳからターゲットＢＳへのＭＳのハンドオーバ手順に参加することとを含む。
【０００８】
ある実施形態は、ターゲット基地局による無線通信のための装置に関する。この装置は、一般に、移動局（ＭＳ）が別の基地局によってサービス提供されている間に、ＭＳとの初期レンジングを実行するためのロジックと、現在のサービス提供ＢＳにハンドオーバが通知される前に、サービス提供ＢＳからターゲットＢＳへのＭＳのハンドオーバ手順に参加するためのロジックとを含む。
【０００９】
ある実施形態は、ターゲット基地局による無線通信のための装置を提供する。この装置は、一般に、移動局（ＭＳ）が別の基地局によってサービス提供されている間に、ＭＳとの初期レンジングを実行する手段と、現在のサービス提供ＢＳにハンドオーバが通知される前に、サービス提供ＢＳからターゲットＢＳへのＭＳのハンドオーバ手順に参加する手段とを含む。
【００１０】
ある実施形態は、格納された命令群を有するコンピュータ読取可能媒体を備える、無線通信のためのコンピュータ・プログラム製品を提供する。これら命令群は、１または複数のプロセッサによって実行可能であり、一般に、移動局（ＭＳ）が別の基地局によってサービス提供されている間に、ＭＳとの初期レンジングを実行するための命令群と、現在のサービス提供ＢＳにハンドオーバが通知される前に、サービス提供ＢＳからターゲットＢＳへのＭＳのハンドオーバ手順に参加するための命令群とを含む。
【図面の簡単な説明】
【００１１】
本開示の上述された特徴が詳細に理解されるように、いくつかが添付図面で例示されているより具体的な記述や、上述された要約が、実施形態に対して参照によって示されうる。
【００１２】
しかし、添付図面は、本開示のある種の典型的な実施形態しか示しておらず、これら説明は、他の同等に効果的な実施形態をも可能にすることができ、本開示の範囲を限定するものとは考えられないことに留意されたい。
【図１】図１は、本開示のある種の実施形態による、無線通信システムを例示する。
【図２】図２は、本開示のある種の実施形態による、無線デバイス内で利用できるさまざまな構成要素を示す。
【図３】図３は、本開示のある種の実施形態による、直交周波数分割多重および直交周波数分割多元接続（ＯＦＤＭ／ＯＦＤＭＡ）技術を利用する無線通信システム内で使用できる送信機および受信機を例示する。
【図４】図４は、本開示のある実施形態にしたがって、図１に示される無線通信システムにおける典型的なハンドオーバを例示する。
【図５】図５は、本開示のある実施形態にしたがって、ターゲット基地局（ＢＳ）へのハンドオーバを実行するための動作例を図示する。
【図５Ａ】図５Ａは、本開示のある実施形態にしたがう、図５の動作例に対応する手段のブロック図である。
【図６】図６は、本開示のある実施形態にしたがって、ターゲットＢＳによって実行される動作例のフロー図を例示する。
【図６Ａ】図６Ａは、本開示のある実施形態にしたがう、図６の動作例に対応する手段のブロック図である。
【図７】図７は、本開示のある実施形態にしたがって、ターゲットＢＳへのハンドオーバを実行するための動作例のコール・フローを例示する。
【発明を実施するための形態】
【００１３】
ＷｉＭＡＸフォーラムは、ＩＥＥＥ８０２．１６規格に記載されているハード・ハンドオーバ（ＨＨＯ）を定めている。この規格によれば、ＭＳは、ハンドオーバ（ＨＯ）のターゲットとして近隣のＢＳを発見およびモニタするために、サービス提供ＢＳに対して、探索インタバルを要求しうる。また、サービス提供ＢＳは、時間インタバルを割り当てる。探索を実行した後、ＭＳは、前の探索インタバル割当応答（ＭＯＢ＿ＳＣＮ＿ＲＳＰ）メッセージのみならず、前の自律的探索によって探索された近隣の探索結果をレポートしうる。ＨＯ中、ＭＳは、現在のサービス提供ＢＳからターゲットＢＳへと通信を切り換える。この決定は、探索結果またはその他の理由に基づいて、ＭＳにおいて、サービス提供ＢＳにおいて、あるいはネットワークにおいて行われる。オプションとして、近隣のＢＳのうちの１つに関して、探索インタバル中になされる初期レンジング手順が関連付けられる。以下の通り、３レベルの関連付けがある。関連付けレベル０（調整のない探索／関連付け）、関連付けレベルｌ（調整のある関連付け）、および、関連付けレベル２（ネットワーク支援された関連付けレポート）。
【００１４】
関連付けの機能によって、ＭＳは、ＨＯターゲットの適切な選択、および、ターゲットＢＳに対して将来可能性のあるＨＯを容易にすることを目的として、レンジングパラメータおよびサービス利用可能情報の獲得および記録が可能となる。関連付けられたＢＳの記録されたレンジングパラメータはさらに、実際のＨＯ中、将来のレンジングイベントにおいて、初期レンジング値を設定するために使用されうる。
【００１５】
たとえＭＳが、ハンドオーバを実行する前に、ターゲットＢＳとの関連付けを処理しても、ターゲットＢＳとのＨＯレンジング中、ターゲットＢＳとの実際のＨＯは失敗しうる。なぜなら、現在の規格のＨＯ手順は、例えば、ＭＳとサービス提供ＢＳとの間のＨＯメッセージ交換や、サービス提供ＢＳとターゲットＢＳとの間の情報交換のような、多くのプロトコル・ハンドシェークによる長い遅れを含みうるからである。ＭＳが探索インタバル中に、この関連付けを処理しない場合、ＨＯレンジングにおける失敗の可能性はさらに増加しうる。いずれの場合も、ＭＳがターゲットＢＳとのハンドオーバ中に失敗した場合、ＭＳは、別の候補ＭＳを探索するために、近隣ＢＳを繰り返し探索しうる。この問題は、ＨＯ手順全体におけるより長い遅れをもたらすのみならず、ＷｉＭＡＸシステムにおけるサービス不安定性にも至りうる。
【００１６】
現在の規格における別の問題は、可能性のあるハンドオーバを求める探索を実行した後に、ＭＳが、サービス提供ＢＳに対して、ＭＳがサービス提供ＢＳとの同期をいつ失うかを通知する方法がないことである。この状況の結果、ＭＳは、既存のすべてのサービス・フローを失いうる。この場合、サービス・フローは、再初期化され、さらなる遅れをもたらす。
【００１７】
本開示のある実施形態は、ターゲット基地局との初期レンジングを実行することに基づいて、ターゲット基地局へのロバストなハンドオーバのための技術を提供する。初期レンジングを実行した後、ターゲットＢＳへハンドオーバ要求をダイレクトに送信することによって、一般的なハンドオーバ手順において生じるプロトコル・ハンドシェークによる遅れが最小化されうる。これによって、ハンドオーバが成功する可能性が増加する。
【００１８】
（典型的な無線通信ネットワーク）  
本明細書に記載された技術は、直交多重化スキームに基づく通信システムを含むさまざまなブロードバンド無線通信システムのために使用される。そのような通信システムの例は、直交周波数分割多元接続（ＯＦＤＭＡ）システム、シングル・キャリア周波数分割多元接続（ＳＣ−ＦＤＭＡ）システム等を含んでいる。ＯＦＤＭＡシステムは、直交周波数分割多重化（ＯＦＤＭ）を利用する。それは、システム帯域幅全体を、複数の直交サブキャリアへ分割する変調技術である。これらサブキャリアはまた、トーン、ビン等とも称されうる。ＯＦＤＭでは、おのおののサブキャリアは、データと独立して変調される。ＳＣ−ＦＤＭＡシステムは、システム帯域幅にわたって分散されたサブキャリアで送信するインタリーブＦＤＭＡ（ＩＦＤＭＡ）、隣接サブキャリアのブロックで送信するローカライズドＦＤＭＡ（ＬＦＤＭＡ）、あるいは、隣接するサブキャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１９】
ＷｉＭＡＸは、直交多重化スキームに基づいた通信システムの１つの例である。前述するように、今日、ＷｉＭＡＸには、固定ＷｉＭＡＸおよびモバイルＷｉＭＡＸという２つの主なアプリケーションがある。固定ＷｉＭＡＸアプリケーションは、ポイント・トゥ・マルチポイントであり、例えば家庭および会社へのブロードバンド接続を可能にする。モバイルＷｉＭＡＸは、ＯＦＤＭおよびＯＦＤＭＡに基づき、ブロードバンド速度でセルラ・ネットワークの完全なモビリティを提供する。
【００２０】
ＩＥＥＥ  ８０２．１６ｘは、固定式およびモバイルのブロードバンド無線アクセス（ＢＷＡ）システム用のエア・インタフェースを定義するための新生の規格体系である。これら規格は少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００２１】
図１に、本開示の実施形態を使用できる無線通信システム１００の例を示す。この無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局となりうる。基地局１０４は、代わりに、アクセス・ポイント、ノードＢ、またはその他いくつかの用語で称されうる。
【００２２】
図１は、システム１００全体に散在するさまざまなユーザ端末１０６を示す。ユーザ端末１０６は、固定式（すなわち、据え置き式）またはモバイルでありうる。ユーザ端末１０６を、代わりに、遠隔局、アクセス端末、端末、加入者ユニット、移動局、局、ユーザ機器等と称することができる。ユーザ端末１０６は、セルラ電話、携帯情報端末（ＰＤＡ）、ハンドヘルド・デバイス、無線モデム、ラップトップ・コンピュータ、パーソナル・コンピュータ等のような無線デバイスでありうる。
【００２３】
さまざまなアルゴリズムおよび方法を、無線通信システム１００内で基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００２４】
基地局１０４からユーザ端末１０６への伝送を容易にする通信リンクは、ダウンリンク１０８と称され、ユーザ端末１０６から基地局１０４への伝送を容易にする通信リンクは、アップリンク１１０と称されうる。あるいは、ダウンリンク１０８を、順方向リンクまたは順方向チャネルと称したり、アップリンク１１０を、逆方向リンクまたは逆方向チャネルと称する場合がある。
【００２５】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２６】
図２に、無線通信システム１００内で使用できる無線デバイス２０２内で利用できるさまざまな構成要素を示す。無線デバイス２０２は、本明細書で説明されるさまざまな方法を実施するために構成され得るデバイスの例である。無線デバイス２０２は、基地局１０４またはユーザ端末１０６でありうる。
【００２７】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを提供する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２８】
無線デバイス２０２は、無線デバイス２０２と遠隔位置との間でのデータの伝送および受信を可能にするために送信機２１０および受信機２１２を含むことができるハウジング２０８をも含むことができる。送信機２１０および受信機２１２を、トランシーバ２１４に組み合わせることができる。アンテナ２１６をハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００２９】
無線デバイス２０２は、トランシーバ２１４によって受信された信号を検出し、そのレベルを定量化する目的で使用される信号検出器２１８をも含むことができる。信号検出器２１８は、合計エネルギ、シンボル毎のサブキャリア毎のエネルギ、電力スペクトル密度、およびその他の信号のような信号を検出しうる。無線デバイス２０２は、信号を処理する際に使用されるデジタル信号プロセッサ（ＤＳＰ）２２０をも含むことができる。
【００３０】
無線デバイス２０２のさまざまな構成要素を、データ・バスのみならず電力バス、制御信号バス、およびステータス信号バスを含むことができるバス・システム２２２によって、ともに結合することができる。
【００３１】
図３は、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００３２】
送信されるデータ３０６は、シリアル・パラレル（Ｓ／Ｐ）コンバータ３０８に入力として提供されるものとして図示されている。Ｓ／Ｐコンバータ３０８は、この送信データをＮ個の並列データ・ストリーム３１０に分割することができる。
【００３３】
Ｎ個の並列データ・ストリーム３１０は次に、マッパ３１２に入力として提供されうる。マッパ３１２は、Ｎ個の並列データ・ストリーム３１０をＮ個のコンステレーション・ポイントにマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００３４】
用語法に関する短い注を、これから提供する。周波数領域のＮ個の並列変調は、周波数領域のＮ個の変調シンボルと等しく、これは、周波数領域のＮ個のマッピングおよびＮポイントＩＦＦＴと等しく、これは、時間領域の１つの（有用な）ＯＦＤＭシンボルと等しく、これは、時間領域のＮ個のサンプルと等しい。時間領域の１つのＯＦＤＭシンボルＮｓは、Ｎｃｐ（ＯＦＤＭシンボルあたりのガード・サンプルの個数）＋Ｎ（ＯＦＤＭシンボルあたりの有用なサンプルの個数）と等しい。
【００３５】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力が、ラジオ周波数（ＲＦ）フロント・エンド３２８によって所望の送信周波数帯域にアップコンバートされうる。そして、その結果得られた信号３３２を、アンテナ３３０が送信することができる。
【００３６】
図３には、ＯＦＤＭ／ＯＦＤＭＡを利用する無線デバイス２０２内で使用できる受信機３０４の例も示されている。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３７】
送信された信号３３２は、無線チャネル３３４を介して移動することが図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００３８】
ガード除去構成要素３２６’の出力は、Ｓ／Ｐコンバータ３２４’に提供されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００３９】
デマッパ３１２’は、マッパ３１２によって実行されたシンボル・マッピング動作の逆を実行し、これによってＮ個の並列データ・ストリーム３１０’を出力することができる。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として提供されたデータ３０６に対応する。要素３０８’、３１０’、３１２’、３１６’、３２０’、３１８’、および３２４’のすべてを、ベースバンド・プロセッサ３４０’上またはベースバンド・プロセッサ３４０’内で見い出すことができることに留意されたい。
【００４０】
（ＷｉＭＡＸシステムにおける典型的なハンドオーバ）  
現在のハンドオーバ（ＨＯ）手順は、移動局（ＭＳ）とサービス提供基地局（ＢＳ）との間の複数のプロトコル・ハンドシェーク、および、サービス提供ＢＳとターゲットＢＳとの間の情報交換に由来する長い遅れを含む。その結果、たとえＭＳがハンドオーバ前にターゲットＢＳとの初期レンジングを実行した場合であっても、ターゲットＢＳとのハンドオーバは失敗しうる。
【００４１】
図４は、現在のサービス提供ＢＳ１０４（ＢＳ＃１）からターゲットＢＳ１０４（ＢＳ＃２）へのＭＳ１０６の一般的なＨＯ手順を例示する。サービス提供ＢＳ（ＢＳ＃１）は、モバイル近隣通知（ＭＯＢ＿ＮＢＲ−ＡＤＶ）メッセージをＭＳ１０６へ定期的に送信する。ＭＯＢ＿ＮＢＲ−ＡＤＶは、１または複数の近隣ＢＳに関する情報を含む現在のネットワーク・トポロジに関する情報を含みうる。４０２では、ＭＳは、ＭＯＢ＿ＮＢＲ−ＡＤＶメッセージに含まれる情報を用いて、近隣ＢＳを探索しうる。この探索は、ＭＳが、近隣ＢＳに関連付けられたリンク品質パラメータのような情報を収集することを支援しうる。ＭＳは、この探索の結果を用いて、ハンドオーバが好ましいかを判定する。そして、好ましいと判定すると、近隣ＢＳのうちの何れかのＢＳが、ハンドオーバのために適切なターゲットとなるであろう。既に記載したように、オプションとして、初期レンジング手順が関連付けられている。これは、ＭＳが実際のハンドオーバ中に使用しうる電力調節値やタイミング調節値等をＭＳが獲得することを支援しうる。
【００４２】
ＭＳがハンドオーバを望む場合、ＭＳは、４０４において、ＢＳ＃１へＭＳハンドオーバ要求（ＭＯＢ＿ＭＳＨＯ−ＲＥＱ）メッセージを送信しうる。ＭＯＢ＿ＭＳＨＯ−ＲＥＱメッセージは、１または複数のターゲットＢＳ候補（例えば、ＢＳ＃２）のリストのみならず、探索の結果をも含みうる。ＢＳ＃１は、ＭＯＢ＿ＭＳＨＯ−ＲＥＱメッセージを受信した後、ＭＳに関する情報を含むハンドオーバ通知（ＨＯ＿ｎｏｔｉｆｉｃａｔｉｏｎ）メッセージをＢＳ＃２へ送信しうる。ＢＳ＃２は、ＨＯ＿ｎｏｔｉｆｉｃａｔｉｏｎメッセージ、および／または、ＭＳに関して追加収集された情報に基づいて、ハンドオーバをサポートするかを判定し、ハンドオーバ通知応答（ＨＯ＿ｎｏｔｉｆｉｃａｔｉｏｎ＿ｒｅｓｐｏｎｓｅ）メッセージによってＢＳ＃１へ通知しうる。
【００４３】
例示するように、ＢＳ＃１とＢＳ＃２との間のこれらメッセージ交換は、４０６において、ネットワーク・バックボーンによって生じうる。ＢＳ＃１は、ＨＯ＿ｎｏｔｉｆｉｃａｔｉｏｎ＿ｒｅｓｐｏｎｓｅメッセージを受信した後、４０８において、ＢＳハンドオーバ応答（ＭＯＢ＿ＢＳＨＯ−ＲＳＰ）メッセージによって、ＢＳ＃２（現在のターゲットＢＳ）の決定についてＭＳに通知しうる。
【００４４】
また、ＢＳ＃１（サービス提供ＢＳ）が、ＭＳのハンドオーバを開始することも可能である。このような場合、ＢＳ＃１は、４１０において、１または複数のターゲットＢＳ候補（例えば、ＢＳ＃２）のリストを含むＢＳハンドオーバ要求（ＭＯＢ＿ＢＳＨＯ−ＲＥＱ）メッセージをＭＳへ送信しうる。ＭＳは、ＭＯＢ＿ＢＳＨＯ−ＲＥＱメッセージを受信すると、ハンドオーバの適応性を判定するために、候補ＢＳを探索しうる。
【００４５】
４１２において、ＭＳは、ハンドオーバを続けるかを決定しうる。これにしたがって、ＭＳは、４１４において、ＭＳの決定を示すモバイル・ハンドオーバ・インジケーション（ＭＯＢ＿ＨＯ−ＩＮＤ）メッセージを送信しうる。ＭＯＢ＿ＨＯ−ＩＮＤメッセージにおける「サービス提供ＢＳリリース」オプションは、ハンドオーバのためのＭＳの希望を確認しうる。ＭＯＢ＿ＨＯ−ＩＮＤメッセージはさらに、ターゲットＢＳ（すなわち、ＢＳ＃２）を示すターゲット基地局識別子（ＢＳＩＤ）フィールドを含みうる。ＢＳ＃１は、ＭＳからハンドオーバ確認を受信した後、この確認をターゲットＢＳへ中継し、その後、ＭＳをリリースする。
【００４６】
ＭＳは、その後、タイミングや電力等の調節のために、ＢＳ＃２との非競合ベースのレンジングを実行しうる。このレンジングは、アップリンク・マップ（ＵＬ−ＭＡＰ）メッセージに配置された高速レンジング情報要素（Ｆａｓｔ＿Ｒａｎｇｉｎｇ＿ＩＥ）を介して、ＢＳ＃２によって提供された専用のレンジング機会を用いて実行されうる。ＢＳ＃２との関連付けが、以前に、探索中に実行されているのであれば、この非競合ベースのレンジングが促進されうる。ＭＳは、その後、レンジング要求（ＲＮＧ−ＲＥＱ）メッセージによって、ＭＳが、ネットワークに再エントリすることを望んでいることをＢＳ＃２へ示しうる。ＢＳ＃２は、ＭＳがネットワーク再エントリを実行している間にスキップしうる１または複数のステップに関する情報を含むハンドオーバ（ＨＯ）処理最適化フィールドを備えるレンジング応答（ＲＮＧ−ＲＳＰ）メッセージを、ＭＳへ送信することによって、ＲＮＧ−ＲＥＱメッセージに応答しうる。これは、ＭＳのネットワーク再エントリをより容易にしうる。その後、ＭＳは、ネットワークに再エントリし、ＭＳとＢＳ＃２との間のデータ転送が引き起こされる。
【００４７】
図４に示すＨＯ手順は、多くのフレームを有する長い処理でありうる。例えば、例示する例では、近隣ＢＳの探索から始まって、ターゲットＢＳへと切り替わるまで少なくとも１４のＯＦＤＭ（Ａ）フレームが含まれうる。１つのフレームが５ミリ秒の長さである場合、含まれる合計の遅れは７０ミリ秒でありうる。この遅れは、探索された近隣ＢＳの数および探索インタバルにしたがって増加しうる。
【００４８】
さらに、合計遅れはさらに、これらチャネル環境における条件変化によって、あるチャネル環境においてさらに増加する。その結果、関連付けられたＢＳのレンジングパラメータは、古くなり、ＢＳへの実際のＨＯ中、将来のレンジングイベントにおいて、初期レンジング値を設定するための役に立たないことがありうる。
【００４９】
本開示のある実施形態によれば、ＭＳは、初期レンジングが正しく完了すると、現在のサービス提供ＢＳではなく、ターゲットＢＳへ、ダイレクトにハンドオーバ要求を送信しうる。こうすることによって、ハンドオーバ前に生じるＭＳとサービス提供ＢＳとの間のプロトコル・ハンドシェークに関連する遅れを低減しうる。
【００５０】
（ＷｉＭＡＸシステムにおける近隣ＢＳの探索中の典型的なロバストなハンドオーバ）  
図５は、本開示のある実施形態にしたがって、ロバストなハンドシェーク手順を実行するための典型的な動作５００を例示する。動作５００は、図４で例示されたＭＳ１０６のようなＭＳによって実行されうる。
【００５１】
動作５００は、ＭＳが１または複数の近隣ＢＳを探索する５０２で始まりうる。この探索は、例えば、図４に示すＭＯＢ＿ＮＢＲ−ＡＤＶメッセージのように、サービス提供ＢＳによって送信されたメッセージによってトリガされうる。例えば探索インタバルや、探索のタイプ等のような探索に関連するパラメータが、サービス提供ＢＳによって決定されうる。ある実施形態では、この探索は、単に、ＭＳによって実行される自律的な探索でありうる。探索の目的は、ハンドオーバのためのターゲットＢＳを識別することでありうる。
【００５２】
５０４では、ＭＳは、探索の結果の基づいて、ハンドオーバのためのターゲットＢＳを選択しうる。ターゲットＢＳを決定するために、適切な技術が使用されうる。例えば、ＭＳは、ＢＳのＣＩＮＲ値が、サービス提供ＢＳのＣＩＮＲ値よりも高いかに基づいて、ＢＳをターゲットとして選択しうる。ある実施形態では、ターゲットＢＳを選択するために、メトリックの組み合わせが使用されうる。
【００５３】
５０６では、ＭＳは、ターゲットＢＳとの初期レンジングを実行しうる。レンジング手順は、レンジングが成功したとターゲットＢＳによって示されるまで実行されうる。前述したように、レンジング手順は、ＭＳが、レンジングパラメータと、ターゲットＢＳのサービス利用可能度を獲得および記録することを支援しうる。したがって、獲得された情報は、ＭＳが、ターゲットＢＳへのハンドオーバが適切であるかを判定することと、適切である場合、このハンドオーバを促進することを支援しうる。
【００５４】
５０８では、ＭＳが、ターゲットＢＳへハンドオーバ要求を送信しうる。ターゲットＢＳへハンドオーバ要求をダイレクトに送ることは、ハンドオーバ要求がサービス提供ＢＳへ送信される一般的なハンドオーバ手順とは対照的であることが注目されうる。ターゲットＢＳへハンドオーバ要求をダイレクトに送ることによって、ＭＳとサービス提供ＢＳとの間のハンドシェークによる遅れと、図４に示すその他の遅れとを回避しうる。その結果、チャネル条件における変化は、初期レンジング中に収集されたレンジングパラメータを古くするほど顕著ではないかもしれないので、ターゲットＢＳへのハンドオーバ中に、これらレンジングパラメータを使用することが可能となる。
【００５５】
図６は、例えば、ターゲットＢＳによって実行されうる動作６００の例を例示する。前述したように、ターゲットＢＳは、ハンドオーバのために、探索結果に基づいて、ＭＳによって選択されうる。
【００５６】
動作６００は、ターゲットＢＳが、別のＢＳによって現在サービス提供されているＭＳとの初期レンジングを実行する６０２で始まる。これによって、ＭＳによるレンジングパラメータの獲得が容易となる。前述したように、ＭＳは、ハンドオーバ決定を行い、ハンドオーバ要求をターゲットＢＳへダイレクトに送信しうる。６０４では、ターゲットＢＳは、ハンドオーバ要求を受信しうる。
【００５７】
６０６では、ターゲットＢＳが、ネットワーク・バックボーンを介して、現在のサービス提供ＢＳ（すなわち、現在、ＭＳにサービス提供しているＢＳ）にハンドオーバについて通知しうる。これを達成するために、ターゲットＢＳは、ＨＯ＿ｎｏｔｉｆｉｃａｔｉｏｎメッセージを使用しうる。一般的なハンドオーバ手順とは異なり、本開示のある実施形態では、ターゲットＢＳは、ハンドオーバに関する情報を通信するために、例えばＨＯ＿ｎｏｔｉｆｉｃａｔｉｏｎメッセージのようなメッセージをサービス提供ＢＳへ送信するように構成され、サービス提供ＢＳは、このようなメッセージに対して応答するように構成されうることが注目されうる。
【００５８】
６０８では、ターゲットＢＳは、ＭＳに対して応答を送り、ターゲットＢＳが６０４で受信したハンドオーバ要求を受諾することを示す。その後、ＭＳは、ハンドオーバに関する決定を行い、ハンドオーバ・インジケーション・メッセージによってターゲットＢＳへ通知しうる。ハンドオーバ・インジケーション・メッセージはさらに、現在のサービス提供ＢＳからリリースされるべきＭＳからの要求として動作しうる。
【００５９】
６１０では、ターゲットＢＳが、ＭＳによって送信されたハンドオーバ・インジケーション・メッセージを受信しうる。６１２では、ターゲットＢＳがその後、促進されたネットワーク再エントリを実行するためにＭＳが使用する情報を含む、要求されないレンジング応答メッセージをＭＳへ送信しうる。これを達成するために、ターゲットＢＳは、現在のサービス提供ＢＳから、ＭＳに関する情報を獲得し、この情報に基づいて、レンジング応答メッセージに含まれるべきＨＯ処理最適化タイプ長さ値（ＴＬＶ）設定を生成しうる。
【００６０】
ＭＳに関する情報は、ネットワーク・バックボーンを介して獲得されうる。要求されない方式でレンジング応答メッセージを送信することによって、ハンドオーバを促進することができる。なぜなら、ターゲットＭＳは、現在のサービス提供ＢＳから新たな情報または変化した情報を得ないので、ＭＳがレンジング機会を獲得するのを待つことはなく、ターゲットＢＳに提供するためのさらなる情報を持っている場合、ネットワーク再エントリを要求するレンジング要求メッセージを送信するからである。新たな情報が何もない場合、ターゲットＢＳは、ＭＳのためにインタバルを割り当てる場合にはいつでも、ネットワーク再エントリのためのあらゆるデータを送信しうる。
【００６１】
６１４では、ターゲットＢＳが、ハンドオーバを確認するメッセージを、現在のサービス提供ＢＳへ送信しうる。この確認を受信した後、現在のサービス提供ＢＳは、ＭＳをリリースし、これによって、ＭＳは、ターゲットＢＳによってサービス提供されるようになる。
【００６２】
図７は、ターゲットＢＳへのハンドオーバを実行するための動作例のコール・フローを例示する。ＭＳは、７０２において、ＭＯＢ＿ＮＢＲ−ＡＤＶメッセージによって１または複数の近隣ＢＳに関する情報を受信した後、ターゲットＢＳを識別するために近隣ＢＳを探索する際に役立つ情報を求める探索インタバル割当要求（ＭＯＢ＿ＳＣＮ−ＲＥＱ）メッセージをＢＳ＃１（サービス提供ＢＳ）へ送信しうる。ＢＳ＃１は、探索インタバル割当応答（ＭＯＢ＿ＳＣＮ−ＲＳＰ）メッセージを送信することにより、ＭＯＢ＿ＳＣＮ−ＲＥＱメッセージに応答しうる。ＭＯＢ＿ＳＣＮ−ＲＳＰメッセージは、例えば探索持続期間や探索のタイプ等のような情報を含みうる。
【００６３】
７０４では、ＭＳが、近隣ＢＳ（ＢＳ＃２乃至＃ｎ）を探索しうる。ＭＳは、例えば、測定された信号強度に関し、ＢＳ＃３が現在のサービス提供ＢＳ（ＢＳ＃１）よりも良好であるかに基づいて、ＢＳ＃３をターゲットとして選択しうる。ＭＳは、同期目的のために、ＢＳ＃３の探索を継続しうる。
【００６４】
７０６では、ＭＳは、ＢＳ＃３（ターゲットＢＳ）との、競合ベースの初期レンジングを実行しうる。ＭＳはまず、ＢＳ＃３によって送信されたダウンリンク・マップ（ＤＬ−ＭＡＰ）メッセージおよびアップリンク・マップ（ＵＬ−ＭＡＰ）メッセージを用いて、ＢＳ＃３とのダウンリンク（ＤＬ）同期および／またはアップリンク（ＵＬ）同期を実行しうる。ＭＳはその後、ＵＬ−ＭＡＰメッセージを探索することにより、初期レンジング機会を探す。これにしたがって、ＭＳは、ランダムに選択されたレンジング符号（例えば、レンジング符号１）を送信しうる。このレンジング符号に基づいて、ＢＳ＃３は、レンジング応答（ＲＮＧ−ＲＳＰ）メッセージによって、タイミングや電力等のための調節値を送信しうる。ＭＳは、その後、例えばレンジング符号２のように、タイミングや電力等が修正された新たなレンジング符号を送信しうる。この処理は、レンジングが正しくなされたとＢＳ＃３によって示されるまで繰り返されうる。初期レンジング後、ＭＳは、７０８において、ＭＳハンドオーバ要求（ＭＯＢ＿ＭＳＨＯ−ＲＥＱ）メッセージを送信することにより、ハンドオーバを要求しうる。
【００６５】
７１０では、ＢＳ＃３は、ＭＳに関する情報を含むハンドオーバ通知（ＨＯ＿ｎｏｔｉｆｉｃａｔｉｏｎ）メッセージを送信することにより、ネットワーク・バックボーンを介して、ハンドオーバについてＢＳ＃１に通知しうる。ＢＳ＃１は、ハンドオーバ通知応答（ＨＯ＿ｎｏｔｉｆｉｃａｔｉｏｎ＿ｒｅｓｐｏｎｓｅ）を送信することにより、ＨＯ＿ｎｏｔｉｆｉｃａｔｉｏｎメッセージをアクノレッジしうる。７１２では、ＢＳ＃３が、ＢＳハンドオーバ応答（ＭＯＢ＿ＢＳＨＯ−ＲＳＰ）メッセージを送信することにより、ハンドオーバ要求の受諾を示しうる。
【００６６】
現在の開示のある実施形態によれば、ターゲットＢＳは、７１４において、ＢＳハンドオーバ要求（ＭＯＢ＿ＢＳＨＯ−ＲＥＱ）メッセージを送信することにより、ハンドオーバを要求するように構成されうる。ターゲットＢＳは、初期レンジング手順に基づいて、ハンドオーバが適切であるかを判定しうる。
【００６７】
７１６では、ＭＳがまさにハンドオーバを実行しようとしていること、および、ＭＳがサービス提供ＢＳ（ＢＳ＃１）からリリースされることを望んでいることを示す最終インジケーションのために、ＢＳ＃３へモバイル・ハンドオーバ・インジケーション（ＭＯＢ＿ＨＯ−ＩＮＤ）メッセージを送信しうる。
【００６８】
ＢＳ＃３は、ＭＯＢ＿ＨＯ−ＩＮＤメッセージを受信した後、７１８において、要求されていないレンジング応答（ＲＮＧ−ＲＳＰ）メッセージを送信しうる。ＲＮＧ−ＲＳＰメッセージは、前述したようなネットワーク再エントリを容易にするためのＨＯ処理最適化情報を含みうる。所望される場合、ＢＳ＃３は、ＲＮＧ−ＲＳＰメッセージに、タイミング調節値、電力調節値等をも含めうる。ＢＳ＃３はその後、ハンドオーバ確認（ＨＯ  ｃｏｎｆｉｒｍ）メッセージをＢＳ＃１へ送信しうる。これにしたがって、ＭＳは、ＢＳ＃１によってリリースされる。ＭＳは、その後、ネットワークへ再エントリし、その結果、ＢＳ＃３とのデータ・トラフィックが生じる。
【００６９】
本開示のある実施形態によれば、ＭＳとサービス提供ＢＳとの間の通信は、近隣基地局の探索後に最小化されうるので、従来技術に対して、サービス提供ＢＳとの同期を失う機会が低減しうる。上述したように、ＢＳに対して、ハンドオーバについて通知するタスクでさえも、ネットワーク・バックボーンを介してターゲットＢＳによって取り扱われうる。
【００７０】
したがって、本明細書に示されたある技術によれば、探索インタバル中に、新たなサービス提供ＢＳを選択することによって、および、選択されたターゲットＢＳとダイレクトに通信することによって、ＭＳは、従来のハンドオーバ技術と比較された場合に、よりロバストなハンドオーバ手順を実行しする。
【００７１】
上述した方法のうちのさまざまな動作は、さまざまなハードウェアおよび／またはソフトウェア構成要素（単数または複数）および／または、図面に例示されたｍｅａｎｓ−ｐｌｕｓ−ｆｕｎｃｔｉｏｎブロックに対応するモジュール（単数または複数）によって実行されうる。一般に、対応するｍｅａｎｓ−ｐｌｕｓ−ｆｕｎｃｉｔｏｎ図面を有する図面に例示された方法が存在する場合、動作ブロックは、同一番号が付されたｍｅａｎｓ−ｐｌｕｓ−ｆｕｎｃｉｔｏｎブロックに対応する。例えば、図５および図６に例示される動作５０２−５０８および動作６０２−６１４は、図５Ａおよび図６Ａに例示されるｍｅａｎｓ−ｐｌｕｓ−ｆｕｎｃｉｔｏｎブロック５０２Ａ−５０８Ａおよび６０２Ａ−６１４Ａに対応する。
【００７２】
情報および信号を、さまざまな異なる技術および技法のいずれかを使用して表すことができる。例えば、上記説明全体を通じて称されうるデータ、命令、コマンド、情報、信号等を、電圧、電流、電磁波、磁場または磁性粒子、光場または光粒子、あるいはその任意の組合せによって表すことができる。
【００７３】
本開示に関連して記載されたさまざまな例示的な論理ブロック、モジュール、および回路は、汎用プロセッサ、デジタル信号プロセッサ（ＤＳＰ）、特定用途向けＩＣ（ＡＳＩＣ）、フィールド・プログラマブル・ゲート・アレイ信号（ＦＰＧＡ）またはその他のプログラマブル論理回路、ディスクリート・ゲートまたはトランジスタ・ロジック、ディスクリート・ハードウェア構成要素、あるいは、本明細書に記載された機能を実行するように設計されたこれら任意の組み合わせを用いて実現または実行されうる。汎用プロセッサは、マイクロプロセッサとすることができるが、代替案では、プロセッサを、任意の市販のプロセッサ、コントローラ、マイクロコントローラ、または順序回路とすることができる。プロセッサはまた、例えば、ＤＳＰとマイクロプロセッサとの組み合わせや、複数のマイクロプロセッサの組み合わせ、ＤＳＰコアまたはその他任意のこのような構成と連携された１または複数のマイクロプロセッサの組み合わせのような、計算デバイスの組み合わせとして実現されうる。
【００７４】
本開示に関連して記載された方法またはアルゴリズムのステップは、ハードウェアによって直接的に、プロセッサによって実行されるソフトウェア・モジュールによって、あるいは、これら２つの組み合わせによって具現化されうる。ソフトウェア・モジュールは、当該技術分野において周知のすべての形式の記憶媒体に常駐することができる。使用されうる記憶媒体のいくつかの例は、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ等を含みうる。ソフトウェア・モジュールは、単一の命令または複数の命令群を備え、いくつかの異なるコード・セグメントにわたって、異なるプログラムにわたって、および、複数の記憶媒体にわたって分散されうる。記憶媒体を、プロセッサが記憶媒体から情報を読み取り、記憶媒体に情報を書き込めるように、プロセッサに結合することができる。あるいは、この記憶媒体は、プロセッサに統合されうる。
【００７５】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００７６】
記載された機能は、ハードウェア、ソフトウェア、ファームウェア、あるいは、これらの任意の組み合わせによって実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）、およびＢｌｕ−ｒａｙ（登録商標）ディスク（ｄｉｓｃ）を含む。ここで、ｄｉｓｋは通常、データを磁気的に再生する一方、ｄｉｓｃは、レーザを用いてデータを光学的に再生する。
【００７７】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００７８】
さらに、例えば、図面に例示されるように、本明細書に記載される方法および技術を実行するためのモジュールおよび／またはその他の適切な手段は、適用可能なものとして、ダウンロードされうるか、および／または、モバイル・デバイスおよび／または基地局によって取得されうることが認識されるべきである。例えば、そのようなデバイスを、本明細書で説明した方法を実行するための手段の転送を容易にするためにサーバに結合することができる。あるいは、本明細書に記載されたさまざまな方法は、記憶手段（例えば、ランダム・アクセス・メモリ（ＲＡＭ）、読取専用メモリ（ＲＯＭ）、例えばコンパクト・ディスク（ＣＤ）またはフロッピー・ディスク等のような物理記憶媒体）によって提供されうる。これによって、モバイル・デバイスおよび／または基地局は、デバスへ記憶手段を結合または提供する際に、さまざまな手段を取得しうる。さらに、本明細書で説明された方法および技法をデバイスに提供するために、その他任意の適切な技法を利用することができる。
【００７９】
特許請求の範囲が、上述した正確な構成および構成要素に限定されないことを理解されたい。さまざまな修正、変形、および変更が、特許請求の範囲のスコープから逸脱することなく、上述した方法および装置の構成、動作、および詳細においてなされうる。
【００８０】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
以下に、本願出願の当初の特許請求の範囲に記載された発明を付記する。
［Ｃ１］
無線通信のための方法であって、
サービス提供基地局（ＢＳ）によってサービス提供されている間、近隣のＢＳを探索することと、
この探索の結果に基づいて、ハンドオーバのためのターゲットＢＳを選択することと、
前記ターゲットＢＳとの初期測距を実行することと、
前記ターゲットＢＳへのハンドオーバを実行することと
を備える方法。
［Ｃ２］
前記ターゲットＢＳから確認を受信することと、
前記サービス提供ＢＳとの接続をリリースすることと
をさらに備えるＣ１に記載の方法。
［Ｃ３］
前記近隣の基地局を探索することは、関連付けを探索することを備えるＣ１に記載の方法。
［Ｃ４］
前記初期測距を実行した後、前記ターゲットＢＳへのハンドオーバを実行する前に、前記ターゲットＢＳからハンドオーバ要求を受信することをさらに備えるＣ１に記載の方法。
［Ｃ５］
前記ターゲットＢＳへのハンドオーバを実行することは、前記ターゲットＢＳへハンドオーバ要求を送信することを備えるＣ１に記載の方法。
［Ｃ６］
ターゲット基地局による無線通信のための方法であって、
移動局（ＭＳ）が別の基地局によってサービス提供されている間に、前記ＭＳとの初期測距を実行することと、
現在のサービス提供ＢＳにハンドオーバが通知される前に、前記現在のサービス提供ＢＳからターゲットＢＳへのＭＳのハンドオーバ手順に参加することと
を備える方法。
［Ｃ７］
前記ハンドオーバ手順に参加することは、前記初期測距を実行した後に、前記ＭＳからハンドオーバ要求を受信することを備えるＣ６に記載の方法。
［Ｃ８］
前記ハンドオーバ手順に参加することは、前記ＭＳへハンドオーバ要求を送信することを備えるＣ６に記載の方法。
［Ｃ９］
無線通信のための装置であって、
サービス提供基地局（ＢＳ）によってサービス提供されている間、近隣のＢＳを探索するためのロジックと、
この探索の結果に基づいて、ハンドオーバのためのターゲットＢＳを選択するためのロジックと、
前記ターゲットＢＳとの初期測距を実行するためのロジックと、
前記ターゲットＢＳへのハンドオーバを実行するためのロジックと
を備える装置。
［Ｃ１０］
前記ターゲットＢＳから確認を受信するためのロジックと、
前記サービス提供ＢＳとの接続をリリースするためのロジックと
をさらに備えるＣ９に記載の装置。
［Ｃ１１］
前記近隣の基地局を探索するためのロジックは、関連付けを探索するためのロジックを備えるＣ９に記載の装置。
［Ｃ１２］
前記初期測距を実行した後、前記ターゲットＢＳへのハンドオーバを実行する前に、前記ターゲットＢＳからハンドオーバ要求を受信するためのロジックをさらに備えるＣ９に記載の装置。
［Ｃ１３］
前記ターゲットＢＳへのハンドオーバを実行するためのロジックは、前記ターゲットＢＳへハンドオーバ要求を送信するためのロジックを備えるＣ９に記載の装置。
［Ｃ１４］
ターゲット基地局による無線通信のための装置であって、
移動局（ＭＳ）が別の基地局によってサービス提供されている間に、前記ＭＳとの初期測距を実行するためのロジックと、
現在のサービス提供ＢＳにハンドオーバが通知される前に、前記現在のサービス提供ＢＳからターゲットＢＳへのＭＳのハンドオーバ手順に参加するためのロジックと
を備える装置。
［Ｃ１５］
前記ハンドオーバ手順に参加するためのロジックは、前記初期測距を実行した後に、前記ＭＳからハンドオーバ要求を受信することを備えるＣ１４に記載の装置。
［Ｃ１６］
前記ハンドオーバ手順に参加するロジックは、前記ＭＳへハンドオーバ要求を送信するためのロジックを備えるＣ１４に記載の装置。
［Ｃ１７］
無線通信のための装置であって、
サービス提供基地局（ＢＳ）によってサービス提供されている間、近隣のＢＳを探索する手段と、
この探索の結果に基づいて、ハンドオーバのためのターゲットＢＳを選択する手段と、
前記ターゲットＢＳとの初期測距を実行する手段と、
前記ターゲットＢＳへのハンドオーバを実行する手段と
を備える装置。
［Ｃ１８］
前記ターゲットＢＳから確認を受信する手段と、
前記サービス提供ＢＳとの接続をリリースする手段と
をさらに備えるＣ１７に記載の装置。
［Ｃ１９］
前記近隣の基地局を探索する手段は、関連付けを探索する手段を備えるＣ１７に記載の装置。
［Ｃ２０］
前記初期測距を実行した後、前記ターゲットＢＳへのハンドオーバを実行する前に、前記ターゲットＢＳからハンドオーバ要求を受信する手段をさらに備えるＣ１７に記載の装置。
［Ｃ２１］
前記ターゲットＢＳへのハンドオーバを実行する手段は、前記ターゲットＢＳへハンドオーバ要求を送信する手段を備えるＣ１７に記載の装置。
［Ｃ２２］
ターゲット基地局による無線通信のための装置であって、
移動局（ＭＳ）が別の基地局によってサービス提供されている間に、前記ＭＳとの初期測距を実行する手段と、
現在のサービス提供ＢＳにハンドオーバが通知される前に、前記現在のサービス提供ＢＳからターゲットＢＳへのＭＳのハンドオーバ手順に参加する手段と
を備える装置。
［Ｃ２３］
前記ハンドオーバ手順に参加する手段は、前記初期測距を実行した後に、前記ＭＳからハンドオーバ要求を受信する手段を備えるＣ２２に記載の装置。
［Ｃ２４］
前記ハンドオーバ手順に参加する手段は、前記ＭＳへハンドオーバ要求を送信する手段を備えるＣ２２に記載の装置。
［Ｃ２５］
格納された命令群を有するコンピュータ読取可能媒体を備える、無線通信のためのコンピュータ・プログラム製品であって、
前記命令群は、１または複数のプロセッサによって実行可能であり、
サービス提供基地局（ＢＳ）によってサービス提供されている間に、近隣のＢＳを探索するための命令群と、
この探索の結果に基づいて、ハンドオーバのためのターゲットＢＳを選択するための命令群と、
前記ターゲットＢＳとの初期測距を実行するための命令群と、
前記ターゲットＢＳへのハンドオーバを実行するための命令群と
を備えるコンピュータ・プログラム製品。
［Ｃ２６］
前記ターゲットＢＳから確認を受信するための命令群と、
前記サービス提供ＢＳとの接続をリリースするための命令群と
をさらに備えるＣ２５に記載のコンピュータ・プログラム製品。
［Ｃ２７］
前記近隣の基地局を探索するための命令群は、関連付けを探索するための命令群を備えるＣ２５に記載のコンピュータ・プログラム製品。
［Ｃ２８］
前記初期測距を実行した後、前記ターゲットＢＳへのハンドオーバを実行する前に、前記ターゲットＢＳからハンドオーバ要求を受信するための命令群をさらに備えるＣ２５に記載のコンピュータ・プログラム製品。
［Ｃ２９］
前記ターゲットＢＳへのハンドオーバを実行するための命令群は、前記ターゲットＢＳへハンドオーバ要求を送信するための命令群を備えるＣ２５に記載のコンピュータ・プログラム製品。
［Ｃ３０］
格納された命令群を有するコンピュータ読取可能媒体を備える、無線通信のためのコンピュータ・プログラム製品であって、前記命令群は、１または複数のプロセッサによって実行可能であり、
移動局（ＭＳ）が別の基地局によってサービス提供されている間に、前記ＭＳとの初期測距を実行するための命令群と、
現在のサービス提供ＢＳにハンドオーバが通知される前に、前記現在のサービス提供ＢＳからターゲットＢＳへのＭＳのハンドオーバ手順に参加するための命令群と
を備えるコンピュータ・プログラム製品。
［Ｃ３１］
前記ハンドオーバ手順に参加するための命令群は、前記初期測距を実行した後に、前記ＭＳからハンドオーバ要求を受信するための命令群を備えるＣ３０に記載のコンピュータ・プログラム製品。
［Ｃ３２］
前記ハンドオーバ手順に参加するための命令群は、前記ＭＳへハンドオーバ要求を送信するための命令群を備えるＣ３０に記載のコンピュータ・プログラム製品。
【図１】
0005265783.tif 000002
【図２】
0005265783.tif 000003
【図３】
0005265783.tif 000004
【図４】
0005265783.tif 000005
【図５】
0005265783.tif 000006
【図５Ａ】
0005265783.tif 000007
【図６】
0005265783.tif 000008
【図６Ａ】
0005265783.tif 000009
【図７】
0005265783.tif 000010